Podtech/llm-jp-corpus-v4-ja_patent huggingface dataset:
(57)【要約】      （修正有）【課題】気化した処理液が駆動部に飛散・拡散せず、装置寿命の長い、発泡製品の減容回収機の提供。【解決手段】発泡製品を処理液にて溶解・減容する装置において、処理槽自体を密閉状態として湯煎加温し、傾斜した状態で槽外の駆動部により回転させ、槽内に螺旋状に配置した撹拌羽根により発泡製品への処理液の散布を行う。【効果】処理液が発泡製品にむら無く散布されるため、処理効率が向上するとともに、駆動部の劣化や磨耗、引火の危険性も少なくなる。【選択図】なし【特許請求の範囲】
発泡製品を処理液にて減容して溶解を行う際、処理液の飛散や気化による駆動部分の劣化や摩耗や引火を防止するため、処理槽自体を密閉状態として湯煎加温し傾斜した状態で回転させることによって発泡製品表面に処理液の拡散をおこなうことを特徴とする減容回収機。
【請求項１】
密閉して傾斜させた処理槽を湯煎加温して回転させる装置。
【請求項２】
密閉して傾斜させた処理槽を湯煎加温することを特徴とする請求項１に記載の駆動方法。
【請求項３】
密閉して傾斜させた処理槽を湯煎加温することを特徴とする請求項１又は２に記載の湯煎加温装置。
【発明の詳細な説明】
【技術分野】
【０００１】  本発明は、効率のよい減溶回収機に関するものである。
【背景技術】
【０００２】  従来、発泡スチロールなど発泡製品の回収には、空気やガスで発泡した製品を回収し運搬するため、多くの労力と輸送コストを要していた。
発泡製品は、その製品特性から小量の原料を空気やガスで発泡せしめ、軽量化と断熱効果が重宝されて多くの梱包材や包装材に供されている。
近年、リサイクルや循環型社会形成のため、これら発泡製品を回収し原料にリサイクルしようとする活動が活発化しつつあるが、小量の原料を空気やガスで発泡させているため、回収に多くの時間を費やし、輸送に多額の費用を要した割には小量のリサイクル原料しか得られない現状にある。
これら発泡製品の回収には、回収初期段階に於いて発泡製品を減容し、効率よくまとめ集荷した後にリサイクル工場に出荷すれば、輸送コストも安くリサイクル原料も大量に生産可能である。
この様な社会的要求から、様々な減溶回収機が開発されている。また、夏と冬との温度差による影響が少なくなるように、減溶液自体を加温するものがある。
図１は従来型の製品であり、１は処理漕であり、２の攪拌羽根により発泡製品を漕内に送り込む。３は可動部分であり２の攪拌羽根を駆動するものである。４は冬や夏など温度変化により減容効率に変化が生じるため、ヒーターを取り付けて温度の上昇を図った加温層であるが、気化した溶剤が３の可動部分を洗浄し機械寿命が短いなどの問題点があった。
【発明の開示】
【発明が解決しようとする課題】
【０００３】解決しようとする問題点は、加温して夏や冬の温度差が生じても年間を通して処理能力が変化せず、機械寿命の長い製品の開発である。
そこで、本発明は、可動部分が処理液に接触せず、温度変化に影響のない減溶回収機を提供することを課題とする。
【課題を解決するための手段】
【０００４】  本発明は、前記課題を解決するための手段として、減容漕自体を密閉状態として処理液が駆動部分に接触しない構造とした。また、処理漕の加温も湯煎方式をとり、加温のための減容漕との接触部分が液体となる装置を考案した。
【発明の効果】
【０００５】  本発明によれば、処理装置は傾けた密閉容器内で発泡製品の回転と加温を行うこととなる。処理液は処理漕内部に設けられた螺旋羽根によって発泡製品の表面にむらなく散布されるため、処理効率が向上することとなる。また、処理漕自体は密閉下状態で、湯煎され温度上昇するため、引火の危険性も少ない。
【発明を実施するための最良の形態】
【０００６】  以下、本発明に係る実施形態を添付図面に従って説明する。図１は従来の減容回収機の形態であるが、１は処理漕であり、２の攪拌羽根により発泡製品を漕内に送り込む。３は可動部分であり２の攪拌羽根を駆動するものである。４は冬や夏など温度変化により減容効率に変化が生じるため、ヒーターを取り付けて温度の上昇を図った加温層であるが、気化した溶剤が３の可動部分を洗浄し機械寿命が短いなどの問題点があった。この問題を解決するためには、飛散もしくは気化した処理液が攪拌羽根の駆動部分に接触しない構造のものにすればよい。
【実施例１】
【０００７】  図２の実施例は、１の処理槽を傾斜させて密閉状態で槽自体を回転させる構造としたものである。２の攪拌羽根は処理槽の内部に螺旋状に配置されたものであり、外部の駆動装置との連携はない。処理液５は１の処理槽が回転するとともに２の螺旋状攪拌羽根により、発泡製品の表面にむらなく散布される。
３の駆動部分は１の処理槽全体を回転させるためのものであり、１の処理槽外部に設置されている。４の加温槽は１の処理槽を湯煎状熊で加温するためのもので、液体で１の処理槽と接触している。
【産業上の利用可能性】  処理槽を傾斜させて回転する構造のものは多く存在するが、処理槽内部を加温する際、外部から湯煎方式で加温する構造のものは存在しない。
本方式を利用すれば、処理物の発生するガスや飛散物で腐食や劣化の激しい処理環境下であっても、外部からの駆動と加温が可能となり、多方面での応用が期待される。
2005272791.tif 000002
2005272791.tif 000003
【手続補正書】
【提出日】平成16年6月9日(2004.6.9)
【手続補正１】
【補正対象書類名】特許請求の範囲
【補正対象項目名】全文
【補正方法】変更
【補正の内容】
【特許請求の範囲】
【請求項１】
発泡製品を処理液にて減容して溶解を行う際、処理液の飛散や気化による駆動部分の劣化や摩耗や引火を防止するため、処理槽自体を密閉状態として湯煎加温し傾斜した状態で回転させることによって発泡製品表面に処理液の拡散をおこなうことを特徴とする減容回収機。
(57)【要約】【課題】  ベルトコンベヤー、電車の自動ドアなどの吸い込み口において、指や物の巻き込みを防止するための巻き込み防止機構を提供する。【解決手段】  この発明は、ベルトコンベヤーや自動ドアなどの引き込み口に設けられ、ベルトコンベヤーや自動ドアの引き込み方向と反対に回転するローラー１よりなる巻き込み防止機構である。ベルトコンベヤーや自動ドアなどと前記ローラーの間に設けられ、ベルトコンベヤーや自動ドアなどの引き込みの動きを前記ローラーに伝達することにより回転させる副ローラーを設けてもよい。【選択図】              図１
2005272017.tif 000002
【特許請求の範囲】
【請求項１】
ベルトコンベヤーや自動ドアなどの引き込み口に設けられ、ベルトコンベヤーや自動ドアの引き込み方向と反対に回転するローラーよりなる巻き込み防止機構。
【請求項２】
ベルトコンベヤーや自動ドアなどと前記ローラーの間に設けられ、ベルトコンベヤーや自動ドアなどの引き込みの動きを前記ローラーに伝達することにより前記ローラーを回転させる副ローラーを備えることを特徴とする請求項１記載の巻き込み防止機構。
【請求項３】
前記ローラーを回転させる駆動部を備えることを特徴とする請求項１記載の巻き込み防止機構。
【発明の詳細な説明】
【技術分野】
【０００１】
この発明は、ベルトコンベヤー、電車の自動ドアなどの吸い込み口に反対に回転するローラーをつけることにより、指や物の巻き込みを防止する巻き込み防止機構に関する。
【背景技術】
【０００２】
ベルトコンベヤー、電車の自動ドアなどの吸い込み口において、指や物の巻き込みを防止することが望ましい。
【発明の開示】
【発明が解決しようとする課題】
【０００３】
この発明は、ベルトコンベヤー、電車の自動ドアなどの吸い込み口において、指や物の巻き込みを防止するための巻き込み防止機構を提供することを目的とする。
【課題を解決するための手段】
【０００４】
この発明は、ベルトコンベヤーや自動ドアなどの引き込み口に設けられ、ベルトコンベヤーや自動ドアの引き込み方向と反対に回転するローラーよりなる巻き込み防止機構である。
【０００５】
ベルトコンベヤーや自動ドアなどと前記ローラーの間に設けられ、ベルトコンベヤーや自動ドアなどの引き込みの動きを前記ローラーに伝達することにより前記ローラーを回転させる副ローラーを設けてもよい。
【０００６】
前記ローラーを回転させる駆動部を備えるようにしてもよい。
【発明の効果】
【０００７】
この発明によれば、ベルトコンベヤー、電車の自動ドアなどの吸い込み口に反対に回転するローラーをつけることにより、指や物の巻き込みを防止することができる。
【発明を実施するための最良の形態】
【０００８】
発明の実施の形態
図１は、発明の実施の形態に係る巻き込み防止機構の説明図である。図１（ａ）は平面図、図１（ｂ）は側面図、図１（ｃ）は動作説明図である。図中、１はローラー、Ａはベルトや自動ドアと壁などの間の引き込み口、Ｂはベルトや自動ドアを示す。
【０００９】
本発明の実施の形態は、要するに、ベルト、ドア、窓などが吸い込まれるところに比較的大きいローラーを配置し、当該ローラーをベルトの進行方向やドアの閉まる方向と逆方向に回転させることにより指や機械が引き込まれるのを防止するというものである。図１においてベルトやドアの進行方向（図において右側）を矢印で示すとともに、ローラー１の回転方向を矢印（図において時計回転）を示している。ローラー１が図１の方向に回転することにより、物などが引き込み口Ａに吸い込まれることなく、ローラー１の回転力により回転するか、そこにとどまることになる。
【００１０】
本発明の実施の形態に係る機構の本質は、平面で進む板等と反対方向に回転するローラーを設置することにより、ベクトルを９０度ずらすことができ、吸い込み等を防止する点にある。図１（ｃ）の符号Ｖで示されるベクトルにより巻き込みを防止するのである。
【００１１】
図２を参照して、ローラー１を回転させる手段を説明する。図２に示すように、ドアや窓が吸い込まれるところ（図１の吸い込み口Ａ）に、ドアに接触する副ローラー２を配置する。その手前により大きいローラー１をドアと接触しない状態かつ小さい副ローラー２と接触する状態で置く事により、手前のローラー１がドアの閉まる方向と逆に回転する（なお、副ローラー２をローラー１の手前（図２とは反対側）に設けてもよい）。副ローラー２の代わりにベアリングを設けるようにしてもよい。図２の場合、ローラー１に駆動装置を接続することなく、自在に回転するフリーローラーとすることができる。
【００１２】
図３に示すように、モーター（駆動部）Ｍで直接ローラー１を回転させるようにしてもよい。
【００１３】
本発明は、ベルトコンベヤー、自動ドア、シャッターなどに適用できる。
【００１４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００１５】
【図１】発明の実施の形態に係る巻き込み防止機構の説明図である。
【図２】発明の実施の形態に係る巻き込み防止機構（副ローラーを備える場合）の説明図である。
【図３】発明の実施の形態に係る巻き込み防止機構（駆動部を備える場合）の説明図である。
【符号の説明】
【００１６】
１    ローラー
２    副ローラー
Ａ    吸い込み口（引き込み口）
Ｂ    ベルトや自動ドア
Ｍ    モーター（駆動部）
Ｖ    ベクトル
【図１】
2005272017.tif 000003
【図２】
2005272017.tif 000004
【図３】
2005272017.tif 000005
(57)【要約】      （修正有）【課題】一般に市販されているタマゴパックのＬ．Ｍ．Ｓ．サイズのどれでもピッタリ収まり、タマゴを一つ一つ収納するのでなく、タマゴパックの上蓋だけを取り除いて、パックごと容器の収納できる保存容器を提供する。【解決手段】容器本体（１）に、特殊な形状をしたタマゴパック収納孔（２）を設けることを特徴とする。【選択図】図１
2005272001.tif 000002
【特許請求の範囲】
【請求項１】
容器本体（１）に、タマゴパック収納孔（２）を設け補強材（３）を取り付けたタマゴパック保存容器
【発明の詳細な説明】
【発明の詳細な説明】
【０００１】    〔産業上の利用分野〕
この発明は、冷蔵庫の中にタマゴをパックごと収納するための保存容器に関するものである。
【０００２】    〔従来の技術〕
従来、タマゴはパックから１つ１つ取り出して直に卵収納ケースに入れて保存していた。
【０００３】    〔発明が解決しようとする課題〕
これには次のような欠点があった。
〔イ〕  タマゴパックから１つ１つ取り出して直に入れるのは面倒な点が多く機能的ではない。
〔ロ〕  タマゴパックの上半分だけを取って収納ケースに収めようとすると、タマゴパックがタマゴのサイズによって大きさが違うため、タマゴ収納ケースにうまく収納できない場合が多い。
本発明は、これらの欠点を除くためになされたものである。
【０００４】    〔課題を解決するための手段〕
容器本体（１）にタマゴパック収納孔（２）を設け、細く弱くなった孔と孔の境部分の裏面を補強材（３）で補強した。
本発明は、以上のような構成よりなるタマゴパック保存容器である。
【０００５】    〔発明実施の形態〕
以下、本発明の実施例について説明する。
（イ）長方形状の容器本体（１）に、タマゴパック収納孔（２）を設ける。
（ロ）タマゴパック収納孔（２）は、一般に市販されているタマゴパックＬ．Ｍ．Ｓ．いずれのサイズもぴったり収まる構造になっている。本発明は以上のような構造で、これを使用するときは、容器本体（１）の上からタマゴパックをそのまま乗せて、タマゴパック収納孔（２）に収納し、安定した状態になったところでタマゴパックの上蓋だけをはがして、保管する。
【０００６】    〔発明の効果〕
これには次のような効果がある。
タマゴパック収納孔（２）が、一般に市販されているタマゴパックのＬ．Ｍ．Ｓ．いずれのサイズもピッタリ収まり、タマゴパックの上蓋をはがすだけで簡単に冷蔵庫に保管することができる。
【図面の簡単な説明】〔図１〕
本発明の斜視図である
〔図２〕
本発明の平面図である
〔図３〕
本発明の横方面の断面図である。
【符号の説明】
１．  容器本体
２．  タマゴパック収納孔
３．  補強材
【図１】
2005272001.tif 000003
【図２】
2005272001.tif 000004
【図３】
2005272001.tif 000005
(57)【要約】      （修正有）【課題】紙などを貼り付けることなく、容器内の中身の状態が分かるようにした、蓋の提供。【解決手段】容器３の蓋１に収容部を設け、もうひとつの蓋２を用意して蓋をし、その中に正味期限、説明書、サンプル等を入れて使用する。【選択図】図２
2005272002.tif 000002
【特許請求の範囲】
【発明の詳細な説明】
【技術分野】
【０００１】  この発明は、蓋に更に透明の蓋を取り付けて、その中にメモ等を入れた物、たとえば中が食品等で有れば、賞味期限等を書き、中身の状態がわかる様にした物である。
【背景分野】
【０００２】  従来の容器はひとつの蓋が付いており、容器に紙などでメモをして貼り付けるか、直接マジック等で書いて、中身を把握していた。
【発明の開示】
【発明が解決しようとする課題】
【０００３】  これは次のような問題点があった。
容器に取り付けた紙等は必要なのに取れて紛失したり、又、容器が空になり紙を取る時使用した糊が取にくく、又、衛生上の問題があった。
本発明は、以上のような欠点をなくすためになされたものである。
【課題を解決するための手段】
【０００４】  図１及び図２に示すように本来の蓋▲１▼に更に、その一部に蓋▲２▼を付ける。
又、図３に示す様に容器がプラスチックであれば、中間の蓋として蓋▲２▼を蓋▲１▼に取り付ける方法が考えられる、取り付け方法は蓋▲１▼が容器▲３▼に付ける方法と同じである。
又、図４に示す様に容器▲３▼に蓋▲１▼と▲２▼を付ける方法と図５に示す様に容器に別の部屋を設ける方法も考えられる。
又、図６に示す様に蓋１に対して、もう一つの蓋２（容器）を付ける、蓋１が鉄製であれば磁石等、又、両面テープ、脱着方式のテープなので取り付ける方法も考えられる。
又、図７、図８に示す様に蓋１に対し蓋２を上から下へではなく蓋２を横へスライドさせる方式、又、図９に示す様に蓋１と蓋２の一部のみを材質の弾力を利用して止める方法が考えられる。
以上の様な構成よりなる蓋と容器である。
【発明の効果】
【０００５】  図１に示す様にたとえば容器の中身が食品等で有れば蓋▲２▼の中に食品名、賞味期限、仕入れ日、値段等のメモが入れられます、又、購入時に付いている値札等及び食品のサンプル等も入れられます、この様な構造なので使用するのになんらさしつかえない。
【発明を実施するための最良の形態】
【０００６】以下。本発明の実施例について説明する。
図１に示す様に本来の蓋▲１▼をネジ式に容器▲３▼に取り付けて、その蓋▲１▼に透明の蓋▲２▼をネジ式に取り付けると、容器の中が見えない時は食品のサンプル及びメモ等を入れても外に漏れる事無く衛生的である、又、図３に示す様にはめ込み方式の容器でも理屈は同じである。
【図面の簡単な説明】
【０００７】
【図１】本発明の斜視図である。
【図２】本発明の断面図である。
【図３】本発明の斜視図である。
【図４】本発明の斜視図である。
【図５】本発明の斜視図である。
【図６】本発明の斜視図である。
【図７】本発明の上面図である。
【図８】図７の断面図である。
【図９】本発明の上面図である。
【図１】
2005272002.tif 000003
【図２】
2005272002.tif 000004
【図３】
2005272002.tif 000005
【図４】
2005272002.tif 000006
【図５】
2005272002.tif 000007
【図６】
2005272002.tif 000008
【図７】
2005272002.tif 000009
【図８】
2005272002.tif 000010
【図９】
2005272002.tif 000011
【手続補正書】
【提出日】平成16年6月23日(2004.6.23)
【手続補正１】
【補正対象書類名】特許請求の範囲
【補正対象項目名】全文
【補正方法】変更
【補正の内容】
【特許請求の範囲】
【請求項１】
普通は容器１個に対し蓋も１個で有るが、中身の説明等を入れる為に蓋（別の空間）を設け複数にして、もうけた物、又、容器に別の部屋を設けて、中身の説明等が入れられる様にした物、又、取り付け方法はネジ式その他、明細書に示す通り、及びその他。
(57)【要約】【課題】昨今ののぞき、盗撮、下着泥棒、ストーカー犯罪等の増加で、プライバシーが侵され個人の生活が脅かされて、一番生活の基盤となる住空間の環境の大事さを取り戻すために、バルコニー等の外部空間を利用して支柱を立てて羽の角度を調整して外部からの視線を遮る。また、住人にとっても便利なようにブラインドの羽の上下移動と角度の調整によって布団を干すことも、景観の観賞もできる。最大の問題である風雨の心配もブラインドの羽の両端に突起を付けて、支柱の縦の溝を外れないように押え金物で押え、上下に移動できるようにしている。【解決手段】バルコニー等の手摺17,18等部分に平行に支柱2を両側に立てて、支柱2の間に、角度調整、上下移動のできるブラインド1を取り付ける。ブラインドは、羽1の両端に突起14を付け、溝19を付けた支柱2を外れる事の無い様に、押さえ金物15で外れるのを防止する。【選択図】図１
2005163475.tif 000002
【特許請求の範囲】
【請求項１】
両側に支柱を立てて、バルコニー等に設置できるようにしたブラインド
【請求項２】
ブラインドの羽の両端に突起を付けて、羽が上下に移動しても支柱の溝を外れないようにして風雨に耐えられるようにしたブラインド
【発明の詳細な説明】
【技術分野】
【０００１】
本発明は、ブラインドの両端に支柱を立てて、バルコニー等に設置できるようにし、ブラインドの羽の両端に突起を付けて溝の中に入れてはずれないようにして、通常の風雨等に耐え、支柱部分の溝をブラインドの羽の突起部分が上下に移動できる様にし、バルコニー等の手摺に布団を干したり、羽の角度調整によってプライバシーを守るようにした物である。またブラインドの内側に洗濯物を干しても近隣の視線にさらされることも少ない。風も通るし、室内からの圧迫感も緩和されて余裕のある生活空間を実現できる。室内から離れたところに設置し、羽の角度の調整をすることによって昼夜に限らず、近隣の視線は、かなり遮ることができる。
【背景技術】
【０００２】
従来、プライバシーを守るためにブラインド、カーテンがもっとも普及しているが、両者にはどちらも補えない欠点がある。ブラインドは、羽の方向を変えることで光の調整とプライバシーの保護を目的としているが、近年は近隣の建物が高層化していて羽の方向によっては、上からのプライバシーは保護することができない、また建具を開放しているときの風の強さによってブラインドが揺れ動き精神的に落ち着かない。以上のようにブラインドでは、光の調整ができるだけである。レースのカーテンは、このカーテンを通して近隣の景観を見ることができるが外部からも透けて見えるため絶対見られないとは限らない。特に夜は、昼間以上に室内の照明の関係から透けて見える。またカーテンもブラインドと同様、風の強さによって揺れ動き精神的におちつかない。このように、両者とも欠点がある。またガラリも角度の調整はできるが、移動できないものであり手摺等に布団等を掛けて干すということなど、とうていできないのである。  
【発明の開示】
【発明が解決しようとする課題】
【０００３】
解決しようとする問題点は、ブラインド、カーテン、ガラリ等の長所をすべて取り入れて、近年の問題であるのぞき、盗撮、下着泥棒等から最も安定をもとめる住空間に、やすらぎと活力を見出したいということである。
【課題を解決するための手段】
【０００４】
本発明は、バルコニー等のある建物の手摺部分を利用して、両端に支柱を立ててその間に少しの風雨でもはずれない両端に突起のあるブラインドを設けて、ブラインドの羽を上下に移動したり、羽の角度を変えたりできるようにして、近隣からの視界を遮ろうとしたものである。
【発明の効果】
【０００５】
本発明のブラインドのように、開口部から離れた位置に設置することによって住空間の広がりを感じ、離れたことによって室内の様子が見えにくくなる。またブラインドの両端に突起を付け支柱の溝を外れないように滑ることができることによって少々の風雨にも耐え、ブラインドが上下に移動できることで手摺等の部分に布団を干したり、洗濯物を他人の目にさらされないようにすることもできる。ブラインドが揺れ動かないことで、精神的にも落ち着いて過ごすこともできる。最近の建物の高層化により上部からのプライバシーの侵害にも気をつけなければならいが、このように開口部から離れた位置に設置することでかなり防げる。風を取り入れる為の建具等の開口部を開けたままでもブラインドの羽の角度の調整によってプライバシーを守ることができる。このように住空間のやすらぎを得ることが十分にできるのである。
【発明を実施するための最良の形態】
【０００６】
本発明は、外部に取り付けられなかったブラインドを、外部に取り付け、建具等の開口部を開けたままでも景観を見れて、外部からの視界も遮ることができるようになったブラインドで、それを図面について説明すれば支柱2を両端に立てることで、独立して設置でき、その支柱2部分の縦の溝19にブラインドの羽1の両端の突起14を入れて上下に移動できるようにすることと、羽1の角度を調整することで、外部からの視線を遮ったり、景観の展望をすることができるものである。さらにブラインドの羽1の両端14に突起を設けて、支柱2の溝19から外れないように押え金物で突起の部分が外れないようにしたため、少々の風雨にも耐えられるようにしたものである。
【図面の簡単な説明】
【０００７】
【図１】手摺等の内側に取り付けるときのブラインド全体の立面図である。
【図２】支柱部分のブラインドの羽の両端の突起の納まり図である。
【図３】ブラインドの羽の両端の突起部分の平面図である。
【図４】ブラインドの羽の両端の突起部分の断面図である。
【図５】手摺等の上部に取り付けるときのブラインドの全体の立面図である。
【符号の説明】
【０００８】
１    ブラインドの羽
２    支柱
３    上枠
４    下枠
５    ブラインドの羽の角度調整用コード    
6          
ブラインドの振れ止め
7          
上下、角度調整用紐又は金物
8          
上下、角度調整用握り玉
9          
ブラインド収納用カバー
10       上部用アジャスター
11       上部用クッション材
12       下部用アジャスター
13       下部用金物
14       ブラインドの羽の両端の突起部分
15       ブラインドの羽の両端の突起部分押さえ金物
16       ブラインドの羽の両端の突起部分押さえ金物用ビス
17       バルコニー等の堅固な手摺壁
18       バルコニー等のアルミ等でできている手摺
19       支柱の縦の溝
【図１】
2005163475.tif 000003
【図２】
2005163475.tif 000004
【図３】
2005163475.tif 000005
【図４】
2005163475.tif 000006
【図５】
2005163475.tif 000007
(57)【要約】      （修正有）【課題】燃料を必要としない動力源の提供。【解決手段】縦の中心より数度右に傾いた本体に付属の上下二つの錘３が縦の中心より右にある為、右が重くなり引力で下へ落ちようとする事により、回転軸１と回転板２に付属の全ての部品が共に右回転しながら遠心力により（ニ）の位置まで１８０度回転する、本来ならば１７５度辺りまで回転してから引力の力で戻ってしまうのですが、この回転を助けるのが（ロ）（ハ）（ニ）の錘３の遠心周囲の違いである、（ロ）の位置迄くると右側の錘３が遠心力により振り回されて遠心移動板４と共に右側に移動する。右側の錘３は左側の錘３より回転軸１より距離がある為、遠心力が増し、（ハ）の位置を経て（ニ）の位置までの回転を可能にした、上下の錘３が右に傾いた走行レール６を走り、スプリング７が遠心移動板４を引き上げて（イ）の位置になる。【選択図】図１
2005163768.tif 000002
【特許請求の範囲】
【請求項１】
物体が地球の引力により下に落ちる動作に物体の重さと落ちる距離、及び遠心力、梃子の原理を組み合わせて軸を回転させる、機械の大きさや重さ、形を変える事により軸の回転の強弱を無限に変える事が出来る無燃料の遠心動力機。
【発明の詳細な説明】
【技術の分野】
【０００１】本発明は地球の環境を護る為、無燃料、無公害動力源を図って遠心力によって軸を回転させる動力機に関する。
【背景技術】
【０００２】従来の動力源は、風力、水力、以外は全て燃料を必要とした。
【発明の開示】
【発明が解決しようとする課題】
【０００３】本発明は地球の引力、遠心力、梃子の原理を利用して軸を回転させる無燃料、無公害機械の為、地球環境を護り全人類を護る。【０００４】将来石油危機に見舞われる事が起きても石油輸入国が動揺する事はない。
【産業上の利用分野】
【０００５】本発明は回転軸に発電装置又は動力を必要とする物に連結する事により無限に利用する事が出来る。
【作用】
【０００６】本発明は電気の無い山奥や谷間でも燃料無しで動力源として使用する事ができる。
【問題点を解決する為の手段】
【０００７】この発明を成功させた実施例を図面に基づいて説明すれば次のとおりである。
【０００８】図１の（イ）の縦の中心より数度右に傾いた本体に付属の上下二つの錘▲３▼が縦の中心より右にある為、右が重くなり引力で下へ落ちようとする事により、回転軸▲１▼と回転板▲２▼に付属の全ての部品が共に右回転しながら遠心力により（ニ）の位置まで１８０度回転する。
【０００９】本来ならば１７５度辺りまで回転してから引力の力で戻ってしまうのですが、この回転を助けるのが（ロ）（ハ）（ニ）の錘▲３▼の遠心周囲の違いである。
【００１０】（ロ）の９０度弱まで回ると右側の錘▲３▼が遠心力により振り回されて遠心移動板▲４▼と共に右側に移動する。
【００１１】回転軸から左側にある錘▲３▼の位置より右側の錘▲３▼の位置の方が回転軸から距離が長くなる。
【００１２】したがって遠心力が増し、回転に勢いをつけて（ハ）の位置を経て（ニ）の位置までの１８０度の回転を可能にした。
【００１３】（ニ）の位置になり数度右に傾いた位置で回転を一時停止する、同時に上下にある錘▲３▼はコロ▲５▼により右に傾いた走行レール▲６▼を走る。
【００１４】同時にスプリング▲７▼が遠心移動板▲４▼を引き上げ（イ）の位置になり、回転一時停止装置を解除する。
【００１５】（イ）の位置になると中心より右側にある上下の錘▲３▼の重さで右回転を上記の説明の原理で１８０度の回転を繰り返し永久に回転を続ける。
【００１６】尚走行レール▲５▼の位置や走行レール▲５▼の長さ、錘▲３▼の形や重さを異ならせる事により回転軸▲１▼の回転の速さ、回転の力を異ならせる事が可能。部品の接触面で衝撃、衝撃音、摩擦を避ける為、反発磁気の使用も可。
【発明の効果】
【００１７】本発明は以上説明したように地球の引力、遠心力、梃子の原理を動力源にする為、無燃料、無公害となり、地球環境を護り公害に苦しむ人々を減らし社会の平和と発展に役立つ。
【図面の簡単な説明】
【００１８】
【図１】  側面断面図
【符号の説明】
【００１９】          １  回転軸
２  回転板
３  錘
４  遠心移動板
５  コロ
６  走行レール
７  スプリング
８  蝶番
９  錘固定バネ
１０  軸受台
・・・
【図１】
2005163768.tif 000003
(57)【要約】［課題］  地球引力を利用して電気を創出する。［解決手段］  円盤体の側面に重り体・支板を対とする多数組を等間隔に取付け、円盤体の回転により重り体の位置・姿勢が次第に変化し、右側においては重り体（３）が傾斜するにつれ、その下降圧で連結棒（５）が重り体（２）を外方に突き出し、左側においては重り体（３）がその自重によって下がるにつれて重り体（２）を引き起こし内方に引き戻す。このようにして左右重り体の引力均衡がくずれることで円盤体は継続右回転する。［選択図］  図１【特許請求の範囲】
【請求項１】
円盤体（１）の側面に支板（４）をはさんで重り体（２）・（３）を対置し、これら多数組を円盤体側面に等間隔に配置し、円盤体の回転により右側重り体（２）は外方に突き出され、左側重り体（２）は内方に引き戻され、左右重り体の均衡がくずれ自転する装置を円盤体両面に双備してなる回転動力機
【発明の詳細な説明】
【技術分野】
【０００１】  本発明は、発電エネルギー源を地球の引力を利用して創出しようとするものである。［技術背景］【０００２】  従来の発電は、水力・火力・原子力を主力としてきたが、近年ではその環境に及ぼす悪影響からクリーンエネルギー源として風力・太陽光・地熱等が見直され、未だ微力ながら次第に世の認知が深まりつつある。［発明の関示］［発明が解決しようとする課題］【０００３】  上述のような観点から本発明は、地球の引力をエネルギー源として利用することによって最もクリーンにして低コストの発電を行なおうとするものである。［課題を解決するための手段］【０００４】  本発明は、円盤体（１）を回転させるために重り体（２）・（３）を１対とし、これら多数個を円盤体側面に等間隔に配置し、円盤体の回転により重り体の位置・姿勢が変化し、これにより重り体の左右引力均衡をくずし、円盤体の継続自転を計るものである。［発明の効果］【０００５】  風力・太陽光発電等と同じくクリーン発電エネルギー源として、その原資はいつでも・どこでも無料・無限の地球引力を利用することにより設備費・維持費にも多くを要しない有益発明を提供する。［発明を実施するための最良の形態］【０００６】  円盤体（１）の側面に配置した右側重り体（２）・（３）は回転により右斜め上方に至り重り体（３）が傾斜につれてその自重により次第に右下方に下がり、その下圧により対置する重り体（２）は連結棒（５）で外方に突き出されその先端部への引力は強く加力される。【０００７】  左側重り体は下辺から次第に左上昇し、重り体（３）はその自重によって重り体（２）から次第に下方に離れるにつれて連結棒（５）が基点（１２）でテコ作用をなし、重り体（２）を引き起こし、更に下がるにつれて重り体（２）を内方に引き戻す。このようにして円盤体の回転により右側重り体（２）を重くし、これに比し左側重り体（２）は引力を減殺されることにより左右引力の均衡をくずすものとする。［産業上の利用可能性］【０００８】  大気汚染等の浄化に期待が寄せられる風力・太陽光発電等に伍しその一翼となり得るではなかろうかと期待するものである。即ち本発明は、天秤の平衡に見る如く片方の引力に加力または減殺を行なえば片方が動き出す原理に基ずく自然現象の活用であり、いつでもどこでも無料・無限の地球引力を利用し、産業上また人類生活上極めて有益なクリーンエネルギーを創出する。【０００９】  本発明は、単機では充分に力を発揮することはできない。期待される強回転力を得るためには、本回転機多数個を心軸に連結し、またこれを大型化・重量化し、無限の引力を間断なき稼動にて得た剰余電気をバッテリー蓄積し、究極としてはその電気をベルト利用で本回転機に用いることにより引力を援用し、自給自足の態勢をつくりあげるものとする。
【図面の簡単な説明】
【００１０】
【図１】本発明の概略側面図
【図２】本発明の要部明細図
【図３】本発明の連結棒端部明細図
【符号の説明】
【００１１】  １  円盤体  ２．重り体  ３．重り体  ４．支板  ５．連結棒  ６．支軸  ７．支軸  ８．支軸  ９．重り体支点１０  溝孔（重り体）１１．支板の溝孔１２．テコ基点１３．支軸１４．軸心１５．連結棒支軸
【図１】
2005163779.tif 000002
【図２】
2005163779.tif 000003
【図３】
2005163779.tif 000004
(57)【要約】      （修正有）【課題】熔接手段を用いないで形成でき、しかも、耐荷重性の損われることのない電柱用足場を提供する。【解決手段】金属板を屈曲して構成し、水平状方向に配した足受片２の基端から先端方向に沿う両端を下方に屈曲して合掌状に重なり合う一対の補強片３，３を相対設し、また、前記足受片２の基端を下方に直角状に屈曲してバンド体ｂによって電柱Ｄに締付ける当接片８と成し、該当設片８の下端を前記先端方向に屈曲して前記補強片３の下端部が圧接する受圧部片７を連設する。【選択図】図１
2005163388.tif 000002
【特許請求の範囲】
【請求項１】
金属板を屈曲して構成し、水平方向に配した足受片の基端から先端方向に沿う両端を下方に屈曲して合掌状に重なり合う一対の補強片を相対設する一方、前記足受片の前記基端を下方に直角状に屈曲してバンド体によって電柱に締付ける当接片と成し、該当接片の下端を前記先端方向に屈曲して、前記補強片の下端部が圧接する受圧部片を連設した、電柱用足場。
【発明の詳細な説明】
【技術分野】
【０００１】
本発明はバンド体によって電柱に取付けて用いる電柱用足場に関するものである。
【背景技術】
【０００２】
互いに直角方向に連設した電柱当接片と足受片のそれぞれの先端部間に補強片をわたし、該補強片と足受片の部片を互いに熔接して構成し、電柱当接片をバンド体によって電柱に締付けて用いる構造のものがある（例えば、特許文献１）。
【０００３】
【特許文献１】実公平３−２５９８号公報
【発明の開示】
【発明が解決しようとする課題】
【０００４】
前記従来例は、帯状の金属片を屈曲してほぼ側面三角形状と成し、当接片と足受片間に傾斜状にわたした補強片によって耐荷重性を期待し、単純な形状にすることによって、製造コストの低廉化を図ったものではあるが、耐荷重性を満足させるには前記関連文献で認められる通り、前記補強片と足受片の部片を熔接する必要があり、この熔接作業がきわめて煩雑となり、製造コストが嵩む。
【０００５】
本発明は、熔接手段を必要としないで、しかも、耐荷重性を充分に得られる電柱用足場を提供すべく創案したものである。
【課題を解決するための手段】
【０００６】
金属板を屈曲して構成し、水平方向に配した足受片の基端から先端方向に沿う両端を下方に屈曲して合掌状に重なり合う一対の補強片を相対設する一方、前記足受片の前記基端を下方に直角状に屈曲してバンド体によって電柱に締付ける当接片と成し、該当接片の下端を前記先端方向に屈曲して、前記補強片の下端部が圧接する受圧部片を連設した構成としたものである。
【発明の効果】
【０００７】
本発明によれば、足受片に荷重を負荷すると、該足受片はバンド体によって電柱に締付けた当接片と連続する片持ち梁状になっているから、当接片との連続部である屈曲部に前記の荷重が集中して該屈曲部を中心に下向回動しようとし、この結果、補強片の下端部が受圧部片に圧接して補強片が荷重を受けることになって耐荷重性に支障のない足場状態を得られ、また、補強片は受圧部片に圧接するためその合掌状に重なり合った状態が崩れることがなく、熔接を必要としない金属板を屈曲するだけで実用に充分耐え得る製品を提供できる。
【実施例】
【０００８】
図面は本発明に係る電柱用足場の一実施例を示し、図１は使用状態を示す一部欠截正面図、図２は図１の平面図、図３は図１の側面図、図４は縦断正面図、図５は図４の左側面図、図６は図１の底面図である。
【０００９】
本発明に係る電柱用足場Ａは、型抜き成形した特定形状の金属板（実施例は鋼板で構成する）を屈曲して形成したもので、表面（上面）に防滑用の突子１，…を設けた、長方形状の足受片２を水平方向に配し、該足受片２の基端から先端方向（長手方向）に沿う両端に、該両端を下方に屈曲して互いにほぼ同形の一対の補強片３，３を相対して連設し、該補強片３を、軽量化を図るために設けた窓孔４を備えさせると共に、前記足受片２の基端側の一側縁３ａをほぼ垂直縁状に、該一側縁３ａに相対する前記足受片２の先端側の他の一側縁３ｂを全体として傾斜縁状とした正面視台形輪郭形状と成し、下端部分３´，３´が互いに最も近接する合掌状にして重ね合わせ、この補強片３，３の前記一側縁３ａ，３ａ側に当接片８を設け、すなわち、前記足受片２の基端を下方にほぼ直角状に屈曲して、前記補強片３，３とバンド体ｂの挿入間隙６を存して相対する当接片８を設け、当接片８を電柱Ｄの周側に沿うような円弧状と成し、その中央に前記バンド体ｂに設けた透孔ｂ´に係合する係止突子５を突設する一方、下端を折り曲げてこの係止突子５より前記補強片３方向（前記足受片２の先端方向）に先端が突出する受圧部片７を突設して構成したものである。
【００１０】
しかして、当接片８の下端に突設した受圧部片７と補強片３（の一側縁３ａ）との間の挿入間隙６を通じて当接片８と補強片３との間にバンド体ｂを挿入介在させ、該バンド体ｂの適宜の透孔ｂ´に係止突子５を係合してバンド体ｂと足場Ａを組合わせ、バンド体ｂに設けた適宜の（公知の）締付け手段で該バンド体ｂを電柱Ｄに締付けると、電柱用足場Ａは電柱Ｄ周側に突設され、使用状態を得られる。そして、この状態で足場Ａの足受片２に装柱作業員の体重を負荷すると、足受片２は、該足受片２と当接片８との連設部９を中心に回動し（連設部９である屈曲部が、なお屈曲し）、足受片２の側端に相対して連設した補強片３の電柱Ｄ側の端縁下部（前記一側縁３ａの下部）が前記受圧部片７に圧接して前記挿入間隙６は閉じられ、この閉じた状態時に補強片３（一側縁３ａ）はバンド体ｂに接近して窓孔４と係止突子５の係合状態が確実に維持され、電柱Ｄに対する足場Ａの取付位置は所定通りに確保される。
【図面の簡単な説明】
【００１１】
【図１】使用状態を示す一部欠截正面図。
【図２】図１の平面図。
【図３】図１の側面図。
【図４】縦断正面図。
【図５】図４の左側面図。
【図６】図１の底面図。
【符号の説明】
【００１２】
２      足受片
３      補強片
７      受圧部片
８      当接片
Ｄ      電柱
ｂ      バンド体
【図１】
2005163388.tif 000003
【図２】
2005163388.tif 000004
【図３】
2005163388.tif 000005
【図４】
2005163388.tif 000006
【図５】
2005163388.tif 000007
【図６】
2005163388.tif 000008
(57)【要約】【課題】  畳の日本家屋の床材としての機能に、新たな機能を付加して、畳の需要の開拓を行うこと。【解決手段】  畳を畳本来の床材としての機能を維持した上に健康維持のための手段とすることによってその課題を解決したものである。具体的には、芯材として、吸湿、脱臭、乾燥機能材を収納した円筒容器を用い、畳表をその心材の表面に巻き付けた棒状体とすることによって、足の土踏まずに押圧する足踏み用畳である。この足踏み健康畳１０を、カバー材である井草畳表の巻き重なり部分を下にして、枠底３１の配列位置に突起を設け、この枠底３１の突起を、足踏み健康畳１０の下面の凹部１１に枠底３１の突起３２を押し込むことによって固定する。これによって、一面に足踏み健康畳１０が相互に密着して装着された畳材２０を得ることができる。【選択図】  図４
2005163335.tif 000002
【特許請求の範囲】
【請求項１】
芯材として機能材を収納した円筒容器を用い、畳表をその心材の表面に巻き付けた棒状体とすることによって、足の土踏まずを押圧する足踏み用畳。
【請求項２】
吸湿、脱臭機能材を収納した円筒容器からなる芯材に畳表を巻き付けた棒状体からなる足踏み用畳を通常の畳と同じ大きさの枠内に、長さ方向に多数、密着状態で並列して通常の畳と同じ大きさの畳とし、この畳を通常の畳として畳敷した足踏み用畳を用いた畳敷き。
【発明の詳細な説明】
【技術分野】
【０００１】
本発明は、畳表から製造された健康維持のための畳材に関する。
【背景技術】
【０００２】
近年、日本家屋の減少、日本間の様変わりによって、畳表の需要の減少は著しいものがある。そのため、特許文献１〜５に開示されているように、畳に脱湿、脱臭、空気浄化能を付与して、畳の需要を拡大する試みが種々行われている。
【特許文献１】特開平０８−０８２０７４号公報
【特許文献２】特開平１０−１９６０９０号公報
【特許文献３】特開２００１−０７９９８１号公報
【特許文献４】特開２００３−０９４５４５号公報
【特許文献５】特開２００３−２７８３６８号公報
【発明の開示】
【発明が解決しようとする課題】
【０００３】
本願発明が解決しようとする課題は、畳の日本家屋の床材としての機能に、新たな機能を付加して、畳の需要の開拓を行うものである。
【課題を解決するための手段】
【０００４】
本発明は、畳を畳本来の床材としての機能を維持した上に健康維持のための手段とすることによってその課題を解決したものである。
【０００５】
具体的には、芯材として、吸湿、脱臭、乾燥機能材を収納した円筒容器を用い、畳表をその心材の表面に巻き付けた棒状体とすることによって、足の土踏まずを押圧する足踏み用畳である。
【０００６】
この足踏み用畳は、通常の畳と同様の大きさの枠に長さ方向に多数、密着状態で並列して通常の畳と同じ大きさの畳を得て、これを多数配列して足踏み用畳からなる畳敷き、あるいは、通常の畳敷内に部分的に足踏み用畳を敷き込んだ畳敷とする。
【発明の効果】
【０００７】
単独、あるいは、畳敷きに利用して、体重を利用した身体を押圧する健康器具として使用できる。
【発明を実施するための最良の形態】
【０００８】
以下本発明の実施の形態を添付図に示す実施例に基づいて説明する。
【実施例１】
【０００９】
添付図は、本発明の足踏み健康畳を通常の畳敷きに適用した実施例を示す。
【００１０】
図１は本発明の足踏み健康畳の外観を示す。同図に示すように、本発明の足踏み健康畳１０は、通常の畳の巾をその長さ、いわゆる半間の長さとした円筒材１の外周面を通常の畳表２でカバーした棒状体からなり、その外径は、足の土踏まず部分を押圧するのに適した径、例えば４５ｍｍ程度に調整されている。
【００１１】
図２は、この本発明の足踏み健康畳１０を構成する円筒材１とカバー材としての畳表２を示す。
【００１２】
円筒材１は、脱臭乾燥剤としての竹炭、木炭、椰子炭のような粒状、片状の炭素材を収納した比較的強度が高いプラスチック、金属、木材、あるいは竹材からなる蓋付きの筒材からなる。
【００１３】
そして、筒材の表面には通気のための穴１１が多く形成されている。  この円筒材１は、その上に畳表２を囲繞して得た製品の使用例として、通常の畳の広さを形成する数が配列され、使用する際には、その強度とともに、全体としての美観と感触が重要となり、さらに、それぞれの筒材の大きさ、強度の均一性が要求されることになる。
【００１４】
この円筒材１のカバー材としての畳表２は、他の畳敷き部分を構成する畳表と同じ材質と同じ縁材２１を使用することによって、座敷全体の畳敷きと違和感のない足踏み健康畳１０が得られる。
【００１５】
図３は、図１に示す足踏み健康畳１０を通常の畳と同じ大きさの枠３内に配置して、通常の畳として使用する例を示し、図４は図３をＡ−Ａ線から見た断面を示す。
【００１６】
これらの図において、枠３は底３１付きの木製、金属製、プラスチック製の材料からなり、通常の畳と同じ高さを有する。そして、底３１は、その底３１に足踏み健康畳１０を配列固定したとき、その足踏み健康畳１０の丸い頂部が、枠３の上端から１５ｍｍ程度突出する程度の深さとなるように調整している。
【００１７】
図４に示すように畳表でカバーした断面が丸い棒状体からなる足踏み健康畳１０を、カバー材である井草畳表の巻き重なり部分を下にして、適宜な手段で固定する。足踏み健康畳１０の枠底３１への配列固定のための手段としては、突起による嵌合係止、釘打ち、接着を含め任意の手段が採用できる。とくに、その取り付けと更新のための取り外し・取り付けに便利なように、図５に示すように、足踏み健康畳１０のカバー材である井草畳表の巻き重なり部分に凹部１１を設け、また、枠底３１の配列位置に突起を設け、この枠底３１の突起を、足踏み健康畳１０の下面の凹部１１に枠底３１の突起３２を押し込むことによって固定するのがよい。
【００１８】
この取り付け手段によって、所定数の足踏み健康畳１０を枠底３１に詰まった状態で配列固定することができ、これによって、一面に足踏み健康畳１０が相互に密着して装着された畳材２０を得ることができる。
【００１９】
これによって、畳敷きそのものに格別の違和感を与えることなく、畳上を歩く人が自己の体重によって棒状体を足の土踏に押圧することができ、健康維持に貢献する。
【産業上の利用可能性】
【００２０】
上記の実施例においては、本発明を畳敷きに応用した例について説明したが、本発明にかかる健康畳を単独で、足踏みとして使用したり、座椅子、椅子に応用して体の接触位置を刺激する健康増進器具に使用できる。  
【図面の簡単な説明】
【００２１】
【図１】本発明の足踏み健康畳の外観を示す。
【図２】本発明の足踏み健康畳の構成部材を示す。
【図３】本発明の足踏み健康畳を通常の畳に適用した例を示す。
【図４】図３の畳をＡ−Ａ線から見た断面図を示す。
【図５】図４の拡大構成図を示す。
【符号の説明】
【００２２】
１    円筒材
２    畳表        ２１  縁材
３    枠          ３１  枠底
１０  足踏み健康畳
２０  畳材
【図１】
2005163335.tif 000003
【図２】
2005163335.tif 000004
【図３】
2005163335.tif 000005
【図４】
2005163335.tif 000006
【図５】
2005163335.tif 000007
(57)【要約】【課題】  真空装置の外側に置いたモニタにより光強度を測定する場合、光入射窓が堆積物などで汚れた場合に、それによるレーザ光強度の減衰が大きく、照射対象物上に到達する光強度を正確に測定することができず、また、真空装置を大気に戻すと、再排気に余分の時間がかかる、あるいは、内部の材料などが空気と触れることで変質（主に酸化）するなどの問題があった。【解決手段】  本願発明は、真空装置内に光センサを設置し、対象物への照射直前のレーザ光強度を測定する。その際、光センサは直線導入装置等により移動可能とし、成膜（または加工）前後にレーザ光路上に挿入し、成膜（または加工）中は光路からはずす構成とする。【選択図】  図１
2005163113.tif 000002
【特許請求の範囲】
【請求項１】
真空容器内に、該容器外よりレーザ光を導入し、該レーザ光を利用して処理を行う装置のレーザモニタにおいて、該レーザ光強度測定装置を該容器内に設けたことを特徴とするレーザモニタ。
【請求項２】
上記レーザ光強度測定装置は、上記容器内において移動可能であることを特徴とする請求項１記載のレーザモニタ。
【請求項３】
上記強度測定装置は、上記容器内を直線的に移動可能であることを特徴とする請求項２記載のレーザモニタ。
【請求項４】
上記強度測定装置は、上記容器内において、回転可能であることを特徴とする請求項２記載のレーザモニタ。
【請求項５】
上記処理は、薄膜の堆積であることを特徴とする請求項１記載のレーザモニタ。
【請求項６】
上記処理は、部材の加工であることを特徴とする請求項１記載のレーザモニタ。
【発明の詳細な説明】
【技術分野】
【０００１】
本発明は、レーザ出力をモニタする技術に関するものであり、特に、レーザを用いて成膜または加工を行う装置において、照射直前のレーザ光強度をモニタすることにより、成膜または加工の再現性を向上させる技術に関するものである。
【背景技術】
【０００２】
レーザ光を用いて成膜を行う場合、形成される膜の膜質及び成膜速度は、入射するレーザ光強度により大きく変化する。また、レーザ光を用いた加工においても、レーザ光強度により加工速度及び加工面の仕上がり具合等が変化する。このため、従来においては、真空装置の外部又は該容器の光入射窓の直前に置いたパワーモニタにより光強度を測定し、これを所望の値とするようにレーザ出力や減衰器を調整していた（下記特許文献１参照）。または、真空装置内を大気に戻して、装置内にパワーモニタを挿入し光強度を測定していた。
【特許文献１】特開平６−５３６０９号公報
【発明の開示】
【発明が解決しようとする課題】
【０００３】
真空装置の外側に置いたモニタにより光強度を測定する場合、光入射窓が堆積物などで汚れた場合に、それによるレーザ光強度の減衰が大きく、照射対象物上に到達する光強度を正確に測定することができず、また、真空装置を大気に戻すと、再排気に余分の時間がかかる、あるいは、内部の材料などが空気と触れることで変質（主に酸化）するなどの問題があった。
【課題を解決するための手段】
【０００４】
本願発明は、真空装置内に光センサを設置し、対象物への照射直前のレーザ光強度を測定する。その際、光センサは、直線導入装置等により移動可能とし、成膜（または加工）前後にレーザ光路上に挿入し、成膜（または加工）中は光路からはずす構成とする。
【発明の効果】
【０００５】
本願発明は、真空装置内の真空を破ることなく、レーザ入射窓の汚れなどの影響を受けずに、ターゲットに入射するレーザ光強度を直接測定できる。これによって、再現性良く薄膜堆積または加工を行うことができる。
【発明を実施するための最良の形態】
【０００６】
以下に、発明を実施するための最良の形態を示す。
【実施例１】
【０００７】
図１に本発明の実施例としてのレーザ堆積装置を示す。直線導入装置を介して真空装置内に置かれた光パワーメータは、薄膜堆積前にレーザ光路上に挿入され、ターゲット直前での光強度を測定する。光パワーメータは、成膜時は、直線導入装置により真空チャンバ側面に設置された待避室に退避する。該待避室は、ゲートバルブにより処理装置室と遮断され、レーザアブレーションされた材料が該メータに付着するのを防止する。これにより成膜を妨げず、また材料物質がパワーメータに堆積しない。
【０００８】
図２は、回転導入機構を利用した実施例である。回転導入機構を用いても、上記直線導入装置と同様に、成膜を妨げず、また材料物質がパワーメータに堆積しない構造とすることができる。
【産業上の利用可能性】
【０００９】
本発明は、レーザを用いて成膜または加工を行なう装置において、照射直前のレーザ光強度をモニタするので、成膜または加工の再現性を向上させることができる。
【図面の簡単な説明】
【００１０】
【図１】本願発明に係る装置の概略説明図（実施例１）
【図２】本願発明に係る装置の概略説明図（実施例２）
【図１】
2005163113.tif 000003
【図２】
2005163113.tif 000004